(57)【特許請求の範囲】
【請求項１】
下面にランプを有し周縁部の外方に開口した複数の受け具を前記周縁部に有する器具本体と、前記器具本体の前面に向く開口縁を有しこの開口縁を周方向に回動することにより前記受け具に係合する複数の突出部を前記開口縁の内周面に一体形成し前記突出部の形状を前記開口縁の周方向に傾斜する略山形に形成した配光制御部材とを備え、
前記突出部の数は前記受け具よりも多く、前記受け具はその入口から前記突出部が落下するのを防止する落下防止用の受け部を前記入口より前方に低い位置で延出し、前記器具本体は前記突出部を受ける補助受け具を前記受け具の間の位置に設け、前記補助受け具は入口に落下防止用の受け部がないものであって前記突出部をガイドするとともに前記器具本体との間に挟持する傾斜面を受け面に形成した照明器具。
【請求項２】
前記受け部の形状を前記突出部が面接触するように前記突出部の形状に合わせて形成した請求項１記載の照明器具。
【請求項３】
前記受け具は前記突出部が前記受け具の係合方向の前方に抜け出すのを防止するストッパを有し、このストッパに前記突出部が面接触するように前記ストッパの形状を前記突出部の形状に合わせた請求項１記載の照明器具。
【請求項４】
前記受け具は前記突出部の係合状態で前記突出部を前記器具本体との間に挟持する傾斜リブを有する請求項１記載の照明器具。
【発明の詳細な説明】
【０００１】
【発明の属する技術分野】
この発明は、照明器具に関するものである。
【０００２】
【従来の技術】
従来、ランプを有する器具本体の周縁部に受け具を設け、図９に示すようにランプの光を制御するカバー１００の開口縁部１０１に、受け具に係止する突出部１０２を取付けた照明器具があった。
【０００３】
【発明が解決しようとする課題】
しかし、この照明器具は、突出部１０２がカバー１００と別部材の２部品からなりねじ１０３で連結したものであり、このような突出部１０２をカバー１００の数箇所に設け、器具本体側にそれに合った受け金具を設けて、カバー１００と器具本体を嵌合させていた。そのため、カバー１００に突出部１０２を取付ける作業性のロスや、コストが高くなるという問題があった。
【０００４】
したがって、この発明の目的は、突出部の取付作業をなくしコスト安にできる照明器具を提供することである。
【０００５】
【課題を解決するための手段】
請求項１記載の照明器具は、下面にランプを有し周縁部の外方に開口した複数の受け具を前記周縁部に有する器具本体と、前記器具本体の前面に向く開口縁を有しこの開口縁を周方向に回動することにより前記受け具に係合する複数の突出部を前記開口縁の内周面に一体形成し前記突出部の形状を前記開口縁の周方向に傾斜する略山形に形成した配光制御部材とを備え、
前記突出部の数は前記受け具よりも多く、前記受け具はその入口から前記突出部が落下するのを防止する落下防止用の受け部を前記入口より前方に低い位置で延出し、前記器具本体は前記突出部を受ける補助受け具を前記受け具の間の位置に設け、前記補助受け具は入口に落下防止用の受け部がないものであって前記突出部をガイドするとともに前記器具本体との間に挟持する傾斜面を受け面に形成したものである。
【０００６】
請求項１記載の照明器具によれば、配光制御部材と突出部を同一材料により一体形成たため、コストおよび組立作業性が向上する。また突出部の形状を略山形に形成したため、金型の二面割り構造にも対応可能であり、既存の金型を利用できるので製造容易になる。
さらに、補助受け具を設けることにより照明器具の熱による配光制御部材の変形を防ぐことが可能となり、また受け面を傾斜面にしたため、配光制御部材の挿入性を良好にでき、嵌合時の接触面積も小さくなる。
請求項２記載の照明器具は、請求項１において、前記受け部の形状を前記突出部が面接触するように前記突出部の形状に合わせて形成したものである。
【０００７】
請求項２記載の照明器具によれば、請求項１と同様な効果のほか、配光制御部材が器具本体に対して入口側に回動して受け具から外れることがあっても突出部が受け部に係止して落下防止できる。また受け部を突出部の形状に合わせたため、振動などにより配光制御部材が落下するのを防止することができる。
請求項３記載の照明器具は、請求項１において、前記受け具が前記突出部が前記受け具の係合方向の前方に抜け出すのを防止するストッパを有し、このストッパに前記突出部が面接触するようにストッパの形状を前記突出部の形状に合わせたものである。
【０００８】
請求項３記載の照明器具によれば、請求項１と同様な効果のほか、受け具のストッパにより突出部の完全嵌合以上の回転による受け具からの抜け出しを防止するとともに、突出部の形状に合わせてストッパに角度を設けることにより配光制御部材との嵌合時に衝撃によって配光制御部材が破損するのを防止できる。
請求項４記載の照明器具は、請求項１において、前記受け具が前記突出部の係合状態で前記突出部を前記器具本体との間に挟持する傾斜リブを有するものである。
【０００９】
請求項４記載の照明器具によれば、受け具に傾斜リブを設けることにより、配光制御部材との接触面積が少なくなり、摩擦抵抗が減少するので突出部が嵌合しやすくなる。
【００１１】
【発明の実施の形態】
この発明の第１の実施の形態を図１から図５により説明する。すなわち、この照明器具は、器具本体１と、配光制御部材であるたとえばカバー２とを有する。
器具本体１は、下面にランプ３を有し、周縁部の外方に開口した複数の受け具４を周縁部に有する。実施の形態の器具本体１は円板形で周縁部に周壁５を有し、中央部に引掛シーリングボディ（図示せず）に着脱自在に取付ける取付部６を設け、下面にランプソケット７およびランプ支持ばね８を設け、周縁部たとえば周壁５の内側に受け具４を設けている。１０はランプソケット７に接続する電源コネクタである。ランプ支持ばね８は図５に示すように、板ばねをＣ字状とくにその両端を外向きに曲げた略Ω状に折曲し、その中央にねじ挿通孔１０を設け、ねじ挿通孔１０から両端に向かう方向の両側に一対の爪１１を突出して、図（ｂ）のようにランプ支持ばね８の両側を摘んで狭めたとき一対の爪１１の先端の間隔が広がるようにしている。一方器具本体１には、ねじ挿通孔１０に挿通するねじ１４が螺合するねじ孔１２を形成し、その両側に爪１１を係止する一対の挿入穴１３を形成している。そして爪１１の先端の間隔を挿入穴１３の間隔よりも狭くなるように、たとえば爪１１を内側に曲げるなどしておき、図５（ｂ）のようにランプ支持ばね８を狭めたとき爪１１が開いて挿入穴１３に挿入できるようにし、図（ｃ）のように弾性復元力により仮保持を可能にしている。この仮保持状態でねじ１４をねじ孔１２に螺合してランプ支持ばね８をねじ止めするが、このとき爪１１はランプ支持ばね８の回り止め効果がある。
【００１２】
また受け具４とともに後述の突出部１６を受ける補助受け具９を受け具４の間の位置に設け、図４に示すように補助受け具９は突出部１６をガイドするとともに器具本体１との間に挟持する傾斜面を受け面１７に形成している。２０は取付孔、２１は取付ねじ、２８は受け具４の取付ねじである。受け面１７の傾斜面は全体に形成し、突出部１６の入口９ａでは補助受け具９と器具本体１との間隔を突出部１６の高さよりも大きくし、出口９ｂでは狭くしている。これにより挿入しやすくかつ前方にぬけにくくすることができる。
【００１３】
カバー２は、器具本体１の前面に向く開口縁１９を有し、この開口縁１９を周方向に回動することにより受け具４に係合する複数の突出部１６を開口縁１９の内周面に一体形成し、突出部１６の形状を開口縁の周方向に傾斜する略山形に形成している。突出部１６の数は受け具４よりも多く、実施の形態では受け具４に補助受け具９を加えた数すなわち６個として、周方向に６０度間隔で設けている。また突出部１６の両側の傾斜角度は金型二面割りを可能にする傾斜角であればよく、実施の形態では突出部１６の頂部中央の直径線に対して約６０度にしている。
【００１４】
この実施の形態によれば、カバー２と突出部１６を同一材料により一体形成たため、コストおよび組立作業性が向上する。また突出部１６の形状を略山形に形成したため、金型の二面割り構造にも対応可能であり、既存の金型を利用できるので製造容易になる。
また突出部１６の数が受け具４よりも多く、器具本体１は突出部１６を受ける補助受け具９を受け具４の間の位置に設け、補助受け具９は突出部１６をガイドする傾斜面を受け面１７に形成したため、受け具４を設けることにより照明器具の熱によるカバー２の変形を防ぐことが可能となり、また受け面１７を傾斜面にしたため、カバー２の挿入性を良好にでき、嵌合時の接触面積も小さくなる。
こうして従来の別部品を組合せたカバーと同等以上の性能が得られる。
【００１５】
この発明の第２の実施の形態を図６に示す。すなわち、この照明器具は、第１の実施の形態において、受け具４の突出部１６が入る入口に落下防止用の受け部２５を有し、受け部２５の形状を突出部１６が面接触するように突出部１６の形状に合わせて形成している。実施の形態では、受け部２５が受け具４よりも一段低い位置に線状の補強リブ３５が下面に付いた傾斜部２６′を介して連結されて水平姿勢をとっている。受け部２５の自由端には、突出部１６の受け具４への嵌合を妨げない高さの立ち上がり片２６を垂直に折曲しているが、受け具２５に載った突出部１６の側部の傾斜面に立ち上がり片２６が面接触するように立ち上がり片２６を開口縁１９の径方向に対して傾斜している。
【００１６】
この実施の形態によれば、カバー２が器具本体１に対して回動して受け具４から外れることになっても突出部１６が受け部２５に係止して落下防止できる。また受け部２５を突出部１６の形状に合わせたため、振動などにより容易にカバー２が落下するのを防止することができる。その他は第１の実施の形態と同様である。
【００１７】
この発明の第３の実施の形態を図７に示す。すなわち、この照明器具は、第２の実施の形態において、突出部１６が受け具４の係合方向の前方に抜け出すのを防止するストッパ３０を受け具４に有し、このストッパ３０に突出部１６が面接触するようにストッパ３０の形状を突出部１６の形状に合わせている。実施の形態では、受け具４に突出部１６が入る入口側と反対側に板片状のストッパ３０が設けられ、突出部１６の側部の斜面に面接触するようにカバー２の開口縁１９の直径方向に対して傾斜している。
【００１８】
この第３の実施の形態によれば、受け具４のストッパ３０により突出部１６の完全嵌合以上の回転による受け具４からの抜け出しを防止するとともに、突出部１６の形状に合わせてストッパ３０に角度を設けることによりカバー２との嵌合時に衝撃によってカバー２が破損するのを防止できる。
その他は第２の実施の形態と同様である。
【００１９】
この発明の第４の実施の形態を図８に示す。すなわち、この照明器具は、第２の実施の形態において、受け具４が突出部１６の係合状態で突出部１６を器具本体１との間に挟持する傾斜リブ３２を有するものである。実施の形態ではカバー２の周方向に平行に１本形成し、かつその高さを受け部４の入口側を低く、ストッパ３０側が漸次高くなるようにしている。
【００２０】
この第４の実施の形態によれば、受け具４に傾斜リブ３２を設けることにより、カバー２との接触面積が少なくなり、摩擦抵抗が減少して嵌合しやすくなる。
その他は第３の実施の形態と同様である。
なお、図２の受け具４の下面からみた形状は第２から第４の実施の形態の受け具の形状とほぼ同様である。また配光制御部材としてカバー２のほか、グローブなどがある。
【００２１】
【発明の効果】
請求項１記載の照明器具によれば、配光制御部材と突出部を同一材料により一体形成たため、コストおよび組立作業性が向上する。また突出部の形状を略山形に形成したため、金型の二面割り構造にも対応可能であり、既存の金型を利用できるので製造容易になる。
さらに、補助受け具を設けることにより照明器具の熱による配光制御部材の変形を防ぐことが可能となり、また受け面を傾斜面にしたため、配光制御部材の挿入性を良好にでき、嵌合時の接触面積も小さくなる。
【００２２】
請求項２記載の照明器具によれば、請求項１と同様な効果のほか、配光制御部材が器具本体に対して入口側に回動して受け具から外れることがあっても突出部が受け部に係止して落下防止できる。また受け部を突出部の形状に合わせたため、振動などにより配光制御部材が落下するのを防止することができる。
請求項３記載の照明器具によれば、請求項１と同様な効果のほか、受け具のストッパにより突出部の完全嵌合以上の回転による受け具からの抜け出しを防止するとともに、突出部の形状に合わせてストッパに角度を設けることにより配光制御部材との嵌合時に衝撃によって配光制御部材が破損するのを防止できる。
【００２３】
請求項４記載の照明器具によれば、受け具に傾斜リブを設けることにより、配光制御部材との接触面積が少なくなり、摩擦抵抗が減少するので突出部が嵌合しやすくなる。
【図面の簡単な説明】
【図１】この発明の第１の実施の形態の分解斜視図である。
【図２】カバーを水平に切断して器具本体を見上げた底面図である。
【図３】カバーを示し、（ａ）は平面図、（ｂ）はその半断面側面図である。
【図４】補助受け具を示し、（ａ）は底面図、（ｂ）は突出部の係合状態の側面図である。
【図５】ランプ支持ばねを示し、（ａ）は斜視図、（ｂ）はランプ支持ばねを摘んだ状態の側面図、（ｃ）は仮保持状態の側面図である。
【図６】第２の実施の形態を示し、（ａ）は受け具の取付状態を下から見上げた底面図、（ｂ）は側面図である。
【図７】第３の実施の形態を示し、（ａ）は受け具の取付状態を下から見上げた底面図、（ｂ）は側面図である。
【図８】第４の実施の形態を示し、（ａ）は受け具の取付状態を下から見上げた底面図、（ｂ）は側面図である。
【図９】従来例の突出部を示すカバーの部分断面図である。
【符号の説明】
１    器具本体
２    カバー
３    ランプ
４    受け具
９    補助受け具
１６    突出部
１９    開口縁
２５    受け部
３０    ストッパ
３２    傾斜リブ
【図１】
0003978870.tif 000002
【図２】
0003978870.tif 000003
【図３】
0003978870.tif 000004
【図４】
0003978870.tif 000005
【図５】
0003978870.tif 000006
【図６】
0003978870.tif 000007
【図７】
0003978870.tif 000008
【図８】
0003978870.tif 000009
【図９】
0003978870.tif 000010